(57)【特許請求の範囲】
【請求項１】
上方の外壁パネル下端を支持する断面略溝状の支持部と、下方の外壁パネル上端をカバーする該支持部下方のカバー部とを有して、上下にそれぞれ設置される外壁パネル間の縦継手部の水切りを行う長尺状の外壁の水切り部材であって、前記支持部を、その溝の底面となる底片の前後略中間の位置に、外壁パネル下端面を支持する上部が広幅の支持片を突設させて、該外壁パネルの背面側からカバー部へ向け水抜きを行う水抜き孔を底片の前端部及び支持片の基端部に設けるとともに、前記支持片は断面略Ｔ字状であり、該支持片を外壁パネルに設けられた雌実に係合可能に形成してなることを特徴とする外壁の水切り部材。
【発明の詳細な説明】
【０００１】
【発明の属する技術分野】
本発明は、上下にそれぞれ設置される外壁パネル間の縦継手部の水切りを行う長尺状の外壁の水切り部材に関するものである。
【０００２】
【従来の技術】
従来から、図４（ａ）、（ｂ）に示す如く、例えば縦張りされ上下にそれぞれ設置される上方の外壁パネル６下端を支持する断面略溝状の支持部Ｂと、下方の外壁パネル６上端をカバーする該支持部Ｂ下方のカバー部Ｃとを有して、その外壁パネル６，６間の縦継手部７の水切りを行う長尺状の外壁の水切り部材Ａがある。
【０００３】
すなわち、上記の外壁パネル６，６は、金属サイディングと呼ばれる、金属材による表面材の裏面側に発泡ウレタン材にて形成された断熱材が設けられてなるもの、あるいは窯業系材料を使用したもの等が用いられて、同図に示す如く、下地材となる胴縁材の前方に、この場合、左右両端に係合部である凸部と被係合部である凹部とが設けられた複数枚の外壁パネル６を左右に配置し、それぞれ隣り合う外壁パネル６同士を凹凸嵌合により接合して、水切りを行う外壁の水切り部材Ａを、上下にそれぞれ設置される外壁パネル６，６間の縦継手部７に設置させて施工されている。
【０００４】
また上記とは異なり、下地材となる胴縁材の前方に、複数枚の外壁パネル６を上下両端に係合部である凸部と被係合部である凹部とを配置して上下にそれぞれ設け、上下に隣り合う複数枚数の外壁パネル６，６同士を凹凸嵌合により接合する、横張り施工も行われている。この場合は、外壁の上部に見切縁、下部に水切りジョイナーが設置されて施工されている。
【０００５】
【発明が解決しようとする課題】
最近、外壁の意匠面等の要望から、上記前者の縦張り施工と後者の横張り施工とを外壁全体の上下にわたって行い、外壁パネル６を外壁に設けることが行われている。この場合、縦張り施工と横張り施工との縦継手部７となる接合部分には、上記従来の技術による水切り部材Ａが使用されていた。
【０００６】
ところで、上記の施工構造に前述の金属サイディングを使用した外壁の場合、その外壁パネル６は、上記の凸部と凹部とが設けられている側の端面は表面材が設けられており、それ以外の側端面は上記の断熱材が露出して形成されている。したがって、縦張り施工箇所の凹凸の無い下側端を支持している支持部の略溝状の内部に雨水が侵入して溜まり、その露出部分から上方の外壁パネル６の断熱材に吸水されることとなり、外壁パネル６の断熱性能が低下するとともにカビが発生し縦継手部７が汚れるという問題があった。
【０００７】
本発明は、上記事由に鑑みてなしたもので、その目的とするところは、外壁パネルの横張り施工と縦張り施工の両者に対応可能で、金属サイディングを使用した外壁にて雨水が断熱材に吸水されること無く水切りの可能な外壁の水切り部材を提供することにある。
【０００８】
【課題を解決するための手段】
上記目的を達成するために、本発明の外壁の水切り部材にあっては、上方の外壁パネル下端を支持する断面略溝状の支持部と、下方の外壁パネル上端をカバーする該支持部下方のカバー部とを有して、上下にそれぞれ設置される外壁パネル間の縦継手部の水切りを行う長尺状の外壁の水切り部材であって、前記支持部を、その溝の底面となる底片の前後略中間の位置に、外壁パネル下端面を支持する上部が広幅の支持片を突設させて、該外壁パネルの背面側からカバー部へ向け水抜きを行う水抜き孔を底片の前端部及び支持片の基端部に設けるとともに、前記支持片は断面略Ｔ字状であり、該支持片を外壁パネルに設けられた雌実に係合可能に形成してなることを特徴としている。
【０００９】
この構成にて、上下にそれぞれ設置される外壁パネル間の縦継手部において、上方の外壁パネル下端面が、断面略溝状の支持部の溝の底面となる底片の前後略中間の位置に突設された上部が広幅の支持片にて支持されるとともに、該底片に設けられた水抜き孔にて外壁パネルの背面側から流下する雨水等をカバー部へ向けて水抜きさせて支持部の溝内の水を排除できる。
【００１０】
そして、前記支持片が断面略Ｔ字状であるので、断面略Ｔ字状の上部が広幅の支持片にて上方の外壁パネル下端面を支持できる。また、前記支持片を外壁パネルに設けられた雌実に係合可能に形成するので、上部が広幅の支持片に外壁パネルに設けられた雌実を係合させて上方の外壁パネル下端面が安定支持される。
【００１１】
【発明の実施の形態】
図１、図２は、本発明の実施の形態を示し、図３は、本発明の参考例の形態を示している。
【００１２】
［実施の形態］図１は、実施の形態の外壁の水切り部材の概略構成を示す説明図で、（ａ）は横張りの場合、（ｂ）は縦張りの場合である。図２は、同実施の形態の外壁の水切り部材にて施工される外壁パネルの一例を示す断面図である。
【００１３】
この実施の形態の外壁の水切り部材１は、上方の外壁パネル６下端を支持する断面略溝状の支持部２と、下方の外壁パネル６上端をカバーする該支持部２下方のカバー部３とを有して、上下にそれぞれ設置される外壁パネル６，６間の縦継手部７の水切りを行う長尺状の外壁の水切り部材１であって、前記支持部２を、その溝の底面となる底片２１の前後略中間の位置に、外壁パネル６下端面を支持する上部が広幅の支持片２２を突設させて、該外壁パネル６の背面側からカバー部３へ向け水抜きを行う水抜き孔２４を設けてなる。
【００１４】
又、該実施の形態の外壁の水切り部材１においては、前記支持片２２を断面略Ｔ字状としている。又、該実施の形態の外壁の水切り部材１においては、前記支持片２２を外壁パネル６に設けられた雌実６２に係合可能に形成している。又、該実施の形態の外壁の水切り部材１においては、前記底片２１を、前記水抜き孔２４へ向けて斜面となるよう形成している。
【００１５】
詳しくは、この外壁の水切り部材１は、従来の技術の項にて説明した、縦張り施工及び横張施工にて、上下に設置される外壁パネル６，６間の接合部となる縦継手部７の水切りを行うもので、例えばアルミニウム材等金属材料あるいは塩化ビニル樹脂材等合成樹脂材の押し出し成形にて、図１に示すように、支持部２とカバー部３とが、例えば構造用合板を下地面として、その表面に木製の縦胴縁材及び横胴縁材を設けて形成された下地５の前方に突出するよう、板状の取付部４に一体化され長尺状に形成される。
【００１６】
なお、同図の（ａ）は横張り、（ｂ）は縦張りの場合の施工状態をそれぞれ示し、下地５の前方には、上下及び左右に複数の外壁パネル６が取付け施工されている。また、各外壁パネル６は、それぞれ同じ構造を有しており、例えば図２に示すように、表面材６３と裏面材６５との間に発泡体等の断熱材６４が充填されて形成されている。ここで、表面材６３は例えば軽量形鋼板などから成り、裏面材６５は例えばアルミ箔などの薄型シートから成る。また断熱材６４としては例えばウレタン材料などの圧縮変形可能な材質が用いられている。
【００１７】
この断熱材６４は、もちろん、ウレタン材料以外に例えば無機質材などであっても良い。外壁パネル６は、上記によるものの他、例えば、セメント系材料による基材上に、樹脂塗料及び無機系塗料を塗布して表面にガラス質を連続厚膜成形した不燃外装材にて形成しても良い。上記外壁パネル６は、木ねじ等の固定具を用いて構造用合板等の表面に設けられた胴縁材に固定される、図示していない見切縁、水切りジョイナー、及び水切り部材１を介して設置される。
【００１８】
また、この外壁パネル６は横張り施工用であり、外壁パネル６の上端部には係合部の雄実６１に相当する凸部、下端部には被係合部の雌実６２に相当する凹部がそれぞれ形成されており、水切り部材１の設置されない上下に隣り合う外壁パネル６，６同士が凹凸嵌合によって互いに接合されるようになっている。なお、外壁パネル６は、その下端部に凸部、上端部に凹部を位置させてもよいが、一般に外壁パネル６，６上下間の接合部分から裏面への雨水の浸入を効果的に防止するために図２に示すようにその下端が凹部、上端が凸部となるように設置され横張り施工がなされる。
【００１９】
支持部２は、後述する取付部４から前方へ向けて下向きの斜面となるよう設けられた底片２１と、この底片２１の前後略中間の位置の断面略Ｔ字状の支持片２２と、前片２３とを有して、この前片２３、取付部４及び底片２１が上方の外壁パネル６下端をカバーし支持するように断面略溝状に形成されている。この場合、底片２１の前端部及び支持片２２の基端部に、その長手方向の所定間隔毎に複数の水抜き孔２４が穿設されており、支持される外壁パネル６の背面側からカバー部３へ向け水抜きを行うようになっている。また、この支持片２２は、断面略Ｔ字状となるよう底片２１から立設されている。したがって、全体が均等な肉厚をもってその先端に形成された広幅部分に上記雌実６２と略係合するようにして、上方の外壁パネル６を下端面を底片２１から離隔させて安定支持できる。前片２３は、その先端部が補強されるとともに、外壁パネル６下端部に密着するよう略コ字状に折曲して形成されて、略溝状である支持部２の取付部４との間隔が外壁パネル６の厚みより僅かに大きくなるよう底片２１前端から突設されている。
【００２０】
カバー部３は、下方の外壁パネル６上端をカバーするもので、後述する取付部４から前方斜め下、下方へとカバー片が突出されて形成されている。このカバー部３は、上記下地５との間にて外壁パネル６を安定保持するため、その先端部が補強されるとともに、外壁パネル６上端部に密着するよう略コ字状に折曲して形成されて、取付部４との間隔が外壁パネル６の厚みより僅かに大きくなるようその下端から前方斜め下、下方に向け突設されている。
【００２１】
取付部４は、長尺略平板状で、下地５となる横胴縁等の胴縁材の表面に木ねじあるいは打ち込み釘などの固定具１０にて取り付けるための取付孔（図示せず）が適宜位置に設けられている。
【００２２】
以上説明した外壁の水切り部材１の施工は、例えば構造用合板を外壁の下地面として、まず、図１に示す如く、その表面に縦張り施工と後者の横張り施工とを行うための木製の縦胴縁材及び横胴縁材を設けられる。次いで、外壁の上部となる横胴縁の表面に見切縁、縦張り施工と横張り施工との縦継手部７及び、下部の横胴縁の表面に水切りジョイナーが木ねじ等の固定具にてそれぞれ固着される。その後、外壁パネル６を縦張りする場合、まず、その上端部を見切縁に挿入させ、スライドさせながら水切り部材１の支持部２に挿入して、図１（ｂ）に示すように下端面を支持片２２に支持させて配設される。そして、左右に隣り合う複数枚の外壁パネル６同士が、その左右両端に形成された雄実６１と雌実６２とを互いに凹凸嵌合させて横方向に順次配置させる。なお、外壁パネル６を横張りする場合には、まず、その上端部である雄実６１を見切縁に挿入させ、上下に隣り合う外壁パネル６，６同士を、雄実６１と雌実６２とを互いに凹凸嵌合させて縦方向に順次配置させ後、最下段の外壁パネル６をスライドさせながら下端部を、図１（ａ）に示すように水切り部材１の支持部２に挿入しその雌実６２を支持片２２に支持させて配設される。
【００２３】
すなわち、上記の外壁の水切り部材１においては、上下にそれぞれ設置される外壁パネル６，６間の縦継手部７において、上方の外壁パネル６下端面が、断面略溝状の支持部２の溝の底面となる底片２１の前後略中間の位置に突設された上部が広幅の支持片２２にて支持されるのでその下端面と底片２１との間に隙間が確保されるため、その支持片２２及び底片２１に設けられた水抜き孔２４，２４にて外壁パネル６の背面側から流下する雨水等をカバー部３へ向けて水抜きでき、支持部２の溝内の水を排除できるのである。
【００２４】
このとき、図１（ｂ）に示す縦張りの場合、上方の外壁パネル６の断熱材による下端面を断面略Ｔ字状の広幅の支持片２２上部にてその下端面に食い込むことなく底片２１から離隔させて安定支持され、また、図１（ａ）に示す横張りの場合には、上部が広幅の支持片２２に外壁パネル６に設けられた雌実６２が係合さされ上方の外壁パネル下端面がより安定支持される。しかも、外壁パネル６の背面側から支持部２の溝内へ流下する雨水等が、底片２１が斜面に形成されているのでその底片２１を経て滞留することなく水抜き孔２４へ流下されるのである。
【００２５】
したがって、以上説明した外壁の水切り部材１によると、上下にそれぞれ設置される外壁パネル６，６間の縦継手部７において、上方の外壁パネル６下端面が、断面略溝状の支持部２の溝の底面となる底片２１の前後略中間の位置に突設された上部が広幅の支持片２２にて支持されるとともに、該底片２１に設けられた水抜き孔２４にて外壁パネル６の背面側から流下する雨水等をカバー部へ向けて水抜きさせて支持部２の溝内の水を排除できるので、外壁パネル６の横張り施工と縦張り施工の両者に対応可能で、金属サイディングを使用した外壁にて雨水が断熱材に吸水されること無く水切りを行うことができる。
【００２６】
また、断面略Ｔ字状の上部が広幅の支持片２２にて上方の外壁パネル６下端面を支持できるので、その先端に広幅部分をもった支持片２２を簡単な形状で全体が略均等な肉厚にて形成でき、以て水切り部材１を軽量化できる。また、上部が広幅の支持片２２に外壁パネル６に設けられた雌実６２を係合させて上方の外壁パネル６下端面が安定支持されるので、外壁パネル６を支持部２にガタツキ無く支持できて、施工品質をより向上できる。また、外壁パネル６の背面側から支持部２の溝内へ流下する雨水等が、斜面に形成された底片２１を経て水抜き孔２４へ滞留することなく流下されるので、より確実に外壁の水切りを行うことができる。
【００２７】
［参考例］図３は、参考例の形態の外壁の水切り部材の概略構成を示す説明図である。
【００００】
この参考例の形態の外壁の水切り部材は、水抜き孔の構成のみが本発明の実施の形態と異なるもので、他の構成部材は本発明の実施の形態のものと同一で、該実施の形態の外壁の水切り部材１は、前記水抜き孔２４を、前記支持片２２の前後にそれぞれ穿設してなる。
【００２８】
このものの支持部２は、図３（ａ）、（ｂ）に示すように、上記取付部４から前方へ向けて略直角方向に突設された底片２１と、この底片２１の前後略中間の位置の断面略Ｔ字状の支持片２２と、前片２３とを有している。そして、この支持片２２の前後にその長手方向の所定間隔毎に複数の水抜き孔２４が穿設されて、支持される外壁パネル６の背面側からカバー部３へ向け水抜きを行うように形成されている。この支持部２においては、底片２１は、図３（ａ）に示すように平板状とするか、あるいは図３（ｂ）に示すように、その水抜き孔２４，２４へ向けて斜面となるよう断面略逆台形状として並設してもよい。すなわち、この水抜き孔２４は、支持部２の溝状の上部開口から後加工を行って容易に穿設することができる。
【００２９】
したがって、以上説明した外壁の水切り部材１によると、支持部２の溝内の、広幅の支持片２２にて支持されている上方の外壁パネル６の下端面の、該溝内の前後それぞれにて水が排除されるので、より確実に外壁の水切りを行うことができる。
【００３０】
【発明の効果】
本発明は、上述の実施態様の如く実施されて、請求項１記載の外壁の水切り部材にあっては、外壁パネルの横張り施工と縦張り施工の両者に対応可能で、金属サイディングを使用した外壁にて雨水が断熱材に吸水されること無く水切りを行うことができ、その先端に広幅部分をもった支持片を簡単な形状で全体が略均等な肉厚にて形成でき、以て水切り部材を軽量化できるとともに、外壁パネルを支持部にガタツキ無く支持できて、施工品質をより向上できる。
【図面の簡単な説明】
【図１】本発明の実施の形態の、外壁の水切り部材の概略構成を示す断面図で、（ａ）は横張りの場合、（ｂ）は縦張りの場合である。
【図２】同実施の形態の外壁の水切り部材にて施工される外壁パネルの一例を示す断面図である。
【図３】本発明の参考例となる実施の形態の外壁の水切り部材の概略構成を示す説明図である。
【図４】本発明の従来例である外壁の水切り部材の概略構成を示す断面図である。
【符号の説明】
１    水切り部材
２    支持部
２１  底片
２２  支持片
２４  水抜き孔
３    カバー部
６    外壁パネル
７    縦継手部
【図１】
0003546769.tif 000002
【図２】
0003546769.tif 000003
【図３】
0003546769.tif 000004
【図４】
0003546769.tif 000005